(57)【特許請求の範囲】
【請求項１】
空気清浄器の内部に設置される、洗浄しやすい分離式浄化コアであって、
キャビティライナと、このキャビティライナの中に着脱可能に挿接されている集塵極モジュールと、反発極モジュールと、を備え、
前記集塵極モジュールは、上下に嵌装され、かつ互いに着脱可能な第１集塵極ユニット及び第２集塵極ユニットを含み、
前記第１集塵極ユニット及び前記第２集塵極ユニットには、それぞれ互いに平行な集塵極片が設けられ、前記第１集塵極ユニット及び前記第２集塵極ユニットそれぞれにおける、隣り合う２つの前記集塵極片の間隔はいずれも４ａであり、
前記反発極モジュールは、一体成型構造で、かつ前記キャビティライナと対向して固接されており、前記反発極モジュールには対応する前記集塵極モジュールをその中に挿設する収容室が設けられ、
前記収容室内には、集塵極片の総数に対応し、互いに平行な反発極片が設けられており、隣り合う２つの前記反発極片の間隔はいずれも２ａであり、
前記集塵極モジュール、前記反発極モジュール及び前記キャビティライナが互いに嵌装されて全体を構成し、かつ前記集塵極片と前記反発極片が間隔ａで順に互い違いに設けられ、前記間隔ａは前記空気清浄器のグリッド間隔の定数である、洗浄しやすい分離式浄化コア。
【請求項２】
前記集塵極モジュールは、非結晶性及び疎水性で、表面抵抗率が１０６Ωを下回る導電性プラスチックにより作成されている、請求項１に記載の洗浄しやすい分離式浄化コア。
【請求項３】
前記集塵極モジュール中の前記集塵極片は、いずれもそれぞれが属する前記第１集塵極ユニットまたは前記第２集塵極ユニットと一体に射出成型されている、請求項２に記載の洗浄しやすい分離式浄化コア。
【請求項４】
前記集塵極モジュールは、表面抵抗率が１０６Ωを下回る金属材料により作成されている、請求項１に記載の洗浄しやすい分離式浄化コア。
【請求項５】
前記反発極モジュールは、表面抵抗率が１０６Ωを下回る金属または非金属の導電性材料により作成されている、請求項１に記載の洗浄しやすい分離式浄化コア。
【請求項６】
前記キャビティライナ及び前記反発極モジュールの色と、前記集塵極モジュールの色とが、互いに異なる、請求項１に記載の洗浄しやすい分離式浄化コア。
【請求項７】
前記第１集塵極ユニットの両側壁上にはいずれもハンドルが設けられており、前記キャビティライナの両側壁上にはいずれも前記ハンドルと整合して係止されるハンドル留めが設けられている、請求項１に記載の洗浄しやすい分離式浄化コア。
【請求項８】
前記第１集塵極ユニットの前記集塵極片の表面には、変形、硬化を防止するための少なくとも２つの補強リブが設置されており、
前記第２集塵極ユニットの前記集塵極片の表面には、変形、硬化を防止するための少なくとも２つの補強リブが設置されている、請求項１に記載の洗浄しやすい分離式浄化コア。
【発明の詳細な説明】
【技術分野】
【０００１】
本発明は、空気清浄器、特に洗浄しやすい分離式浄化コアに係わり、空気清浄の技術分野に属する。
【背景技術】
【０００２】
静電式集塵技術は、大気汚染や煤塵を防止し処理する、重要な環境保護技術であり、その基本原理は、高圧放電を利用して電界を生成させ、粒子を吸着することにより静電式除塵の効果を実現するというものである。従来の物理的フィルタリング除塵技術と比較して、静電式集塵技術は、消耗材がなく、その後の維持コストがより低いといった優位性を有しており、国内の高汚染、多煤塵の環境に適している。
【０００３】
従来の静電式集塵（収集）極片の多くには金属材質が用いられており、わずかではあるが導電性プラスチック材質も用いられているが、これらは極片間の間隔が小さく、しかも金属集塵極片はそれが特に著しいので、ユーザが集塵極片を洗浄する際に困ることが多い。集塵極モジュールは、一定の期間使用し、洗浄が必要な頃になると、図１に示すような状況に遭遇する。図１に示しているのは集塵極片と反発極片の構造概略図であり、洗浄の過程では、ブラシ１００が反発極片１０２と集塵極片１０３の間に深く入り込むことが困難である。それは、それらの間のグリッド間隔ａが一般的にわずか６〜８ｍｍであると同時に、極片の幅ｂが比較的大きいためであり、集塵極片板の洗浄がより困難になり、使い勝手を悪化させている。
【０００４】
大部分のユーザは水による洗浄を選択しているが、多くの集塵粒子が集塵極片１０１、１０３上に付着したままであり、これでは集塵極片１０１、１０３上に大きな抵抗が直列されているのと同じである。図２に示しているのは、集塵極片及び反発極片と抵抗の構造概略図であり、集塵極片２０１、２０３上に抵抗２０４と抵抗２０５が直列されていることに等しい。集塵極片２０１及び２０３の両端に、本来と同じ高圧を印加すると、抵抗２０４及び２０５が高圧を部分的に落とし、生成された反発電界の強度を引き下げるので、静電式集塵の効率に大きく影響する。それと同時に、集塵極片２０１上に集塵粒子が付着すると、集塵極片２０１と反発極片２０２の間に尖端放電現象２０６が非常に発生しやすく、「ジジジ」という激しい放電音が生じるが、これは発生電極及び集塵極片のどちらにとっても不都合である。
【０００５】
この他にも、従来の集塵極片は洗浄時に分離することができず、そのために大量の水が集塵極モジュールの構造内部に残留し、集塵極モジュールが乾く速度を特に遅くさせてしまう。また、従来の金属集塵極片は、重量を軽減するために、そのほとんどに比重の比較的軽いアルミニウム製材料が採用されているが、親水性があるので水滴が付着しやすく、これも集塵極モジュールの乾燥速度にかなりの影響を与える。また、通常使われる洗浄液の多くはアルカリ性なので、アルミニウム片の表面と化学反応を起こし、集塵極片の表面組織構造を破壊して、その導電性を低下させ、モジュールの集塵効率に影響を与える。
【０００６】
図３に示しているのは、既存技術の着脱不能な集塵極モジュールであり、洗浄過程で集塵極片７００、７０１、７０２、……を洗浄する際に、大量の水が集塵極モジュールのその他の構造部分に残留するので、乾燥速度が遅くなり、一般的には乾くのに１５時間前後必要となる。間隔が小さいという上記の欠陥を解決するために、図１のａ値（集塵極片と反発極片の隙間）を１０ｍｍ以上まで大きくした設計者もいるが、そうすることによって反発電界の強度が弱められ、集塵効率が大幅に低下する。また、高圧の数値を引き上げることだけでは、反発電界の強度を高めることはできない。何故ならば、高圧の数値が大きすぎると、極片間の放電リスクが大幅に増加し、集塵極モジュールの集塵効率が弱められてしまうからである。
【発明の概要】
【発明が解決しようとする課題】
【０００７】
本発明の実施例の目的は、既存技術中に存在する上記の問題を解決するための、洗浄しやすい分離式浄化コアを提供することにある。
【課題を解決するための手段】
【０００８】
本発明の実施例の目的は、以下の技術的解決手段を通して実現される。
空気清浄器の内部に設置される、洗浄しやすい分離式浄化コアであって、
キャビティライナと、このキャビティライナの中に着脱可能に挿接されている集塵極モジュールと、反発極モジュールと、を備え、
前記集塵極モジュールは、上下に嵌装され、かつ互いに着脱可能な第１集塵極ユニット及び第２集塵極ユニットを含み、
前記第１集塵極ユニット及び前記第２集塵極ユニットには、それぞれ互いに平行な集塵極片が設けられ、前記第１集塵極ユニット及び前記第２集塵極ユニットそれぞれにおける、隣り合う２つの前記集塵極片の間隔はいずれも４ａであり、
前記反発極モジュールは、一体成型構造で、かつ前記キャビティライナと対向して固接されており、前記反発極モジュールには対応する前記集塵極モジュールをその中に挿設する収容室が設けられ、
前記収容室内には、集塵極片の総数に対応し、互いに平行な反発極片が設けられており、隣り合う２つの前記反発極片の間隔はいずれも２ａであり、
前記集塵極モジュール、前記反発極モジュール及び前記キャビティライナが互いに嵌装されて全体を構成し、かつ前記集塵極片と前記反発極片が間隔ａで順に互い違いに設けられ、前記間隔ａは前記空気清浄器のグリッド間隔の定数である。
【０００９】
好適には、前記集塵極モジュールは、非結晶性、疎水性で、表面抵抗率が１０６Ωを下回る導電性プラスチックにより作成されている。
【００１０】
好適には、前記集塵極モジュール中の集塵極片は、いずれもそれぞれが属する第１集塵極ユニットまたは第２集塵極ユニットと一体に射出成型されている。
【００１１】
好適には、前記集塵極モジュールは、表面抵抗率が１０６Ωを下回る金属材料により作成されている。
【００１２】
好適には、前記反発極モジュールは、表面抵抗率が１０６Ωを下回る金属または非金属の導電性材料により作成されている。
【００１３】
好適には、前記各反発極片の両側の外端には、いずれも熱収縮絶縁スリーブが被装されている。
【００１４】
好適には、前記キャビティライナ及び反発極モジュールの色と前記集塵極モジュールの色は、互いに異なる。
【００１５】
好適には、前記第１集塵極ユニットの両側壁上にはいずれもハンドルが設けられており、前記キャビティライナの両側壁上にはいずれも前記ハンドルと整合して係止されるハンドル留めが設けられている。
【００１６】
好適には、前記第１集塵極ユニットの集塵極片表面には、変形、硬化を防止するための少なくとも２つの補強リムが設置されており、前記第２集塵極ユニットの集塵極片表面には、変形、硬化を防止するための少なくとも２つの補強リムが設置されている。
【発明の効果】
【００１７】
本発明の技術的解決手段の長所は、主に以下の点に現れている。本発明の実施例は設計が精巧で、構造が簡単であり、このような分離式浄化コアの構造を設計することにより、浄化コアから単独で分離した集塵極モジュールをさらに分離させることで、最終分離後の集塵極片の間隔が従来の４倍になり、集塵極片板の洗浄の難しさを解決し、除塵効率を保証している。
【００１８】
ユーザは、集塵極片を洗浄する際、第１集塵極ユニット及び第２集塵極ユニットを取り出して洗浄するだけで良く、従来の集塵極モジュールは全体の洗浄が必要であったことに較べて、本発明の実施例は集塵極片の乾く速度が非常に速い。それと同時に、採用している導電性プラスチック材質は疎水性を有しており、集塵極片の表面にはほとんど水滴が付着しないので、集塵極片の乾燥速度をさらに速めている。
【００１９】
導電性プラスチックを金属材料の代わりに集塵極片の材質とすることで、ユーザが集塵極片板を洗浄することが明らかに容易になり、多くの集塵極片を２つの集塵極ユニット上に集積するという機能を実現しており、極板を１枚１枚嵌め込む従来の方式と較べて、本発明の実施例の設計構造は、集塵極モジュールの組立時間を大幅に削減することで、コストを引き下げることができる。
【図面の簡単な説明】
【００２０】
【図１】既存技術における集塵極片と反発極片の構造概略図である。
【図２】既存技術における集塵極片及び反発極片と抵抗の構造概略図である。
【図３】既存技術における集塵極モジュールの構造概略図である。
【図４】本発明の実施例における分離式浄化コアの構造概略図である。
【図５】本発明の実施例における集塵極モジュール中の第１集塵極ユニットと第２集塵極ユニットを取り外したときの構造概略図である。
【図６】本発明の実施例における分離式浄化コアの集塵極片と反発極片の最初の間隔状況の概略図である。
【図７】本発明の実施例における集塵極モジュールと反発極モジュールが分離したときの第１集塵極片と第２集塵極片の構造概略図である。
【図８】本発明の実施例における集塵極モジュールが分離した後の第１集塵極ユニットの構造概略図である。
【図９】本発明の実施例における集塵極モジュールが分離した後の第２集塵極ユニットの構造概略図である。
【発明を実施するための形態】
【００２１】
本発明の目的、長所及び特徴は、下記の好適な実施例の非限定的な説明を通して図示及び解釈される。これらの実施例は本発明の技術的解決手段に応用される典型的な範例にすぎず、同等の置換や同じ効果の変換を用いて形成された技術的解決手段は、いずれも本発明で保護を請求する範囲に含まれる。
【００２２】
本発明の実施例では、洗浄しやすい分離式浄化コアを提示しており、図４に示すように、前記浄化コアは空気清浄器内部に設置されており、前記浄化コアは、キャビティライナ１と、その中に着脱可能に挿接されている集塵極モジュール２と、反発極モジュール３からなる。本技術的解決手段では、キャビティライナ１は既存の各種の実行可能な材質であって良く、本実施例では、好適にはキャビティライナ１は弾性を有し、折り畳みが可能で、水洗いできるライナを選択し、それによりキャビティライナ１の包装、輸送及び貯蔵をしやすくしている。キャビティライナ１の材質は有機シリコン絶縁ゴムであり、該材質は優れた加工可塑性、耐高圧破壊、電気絶縁性の良さ、耐電気腐蝕性、疎水性、静電気防止、耐コロナ、耐電気高熱、難燃性などの利点を有しており、その耐トラッキング性はすでに１Ａ４．５極に達し、しかも使用過程での着脱や水洗いが可能で、絶縁性も良い。
【００２３】
図５に示すように、集塵極モジュール２は、上下に嵌装され、互いに着脱可能な第１集塵極ユニット２１及び第２集塵極ユニット２２を含み、かつ２つの集塵極ユニットにはそれぞれ互いに平行な集塵極片が同数設けられており、各集塵極ユニット内の隣り合う２つの集塵極片の間隔はいずれも４ａである。本実施例では、２つの集塵極ユニットの外形及び幅面の大きさは整合しており、かつ２つの集塵極ユニットには、好適にはそれぞれ互いに平行な集塵極片が同数設けられている。
【００２４】
具体的には、第１集塵極ユニット２１上には、少なくとも１０個の第１集塵極片２３が等間隔に設置されており、各第１集塵極片２３は互いに平行に設置され、各第１集塵極片２３の隣との間隔は４ａである。本技術的解決手段では、図６に示すように、第１集塵極ユニット２１上には、好適には等間隔で３つの第１集塵極片２３０、２３１及び２３２が設置されているが、本技術的解決手段では、第１集塵極片の数については具体的に限定していない。第１集塵極ユニット２１の第１集塵極片２３表面には、変形、硬化を防止するための少なくとも２つの補強リム２５が設置されている。
【００２５】
第２集塵極ユニット２２上には、少なくとも１０個の第２集塵極片２４が等間隔に設置されており、各第２集塵極片２４は互いに平行に設置され、各第２集塵極片２４の隣との間隔は４ａである。本技術的解決手段では、図６に示すように、第２集塵極ユニット２２上には、好適には等間隔で３つの第２集塵極片２４０、２４１及び２４２が設置されており、本技術的解決手段では、第２集塵極片２４の数については具体的に限定していない。集塵極片の壁が比較的薄く、成型時に曲りや変形が生じやすいことを考慮すると、その表面には補強リムが必要である。具体的には、第２集塵極ユニットの第２集塵極片２４表面に、変形、硬化を防止するための少なくとも２つの補強リム２５が設置されている。
【００２６】
さらに、図６に示すように、図６は分離式浄化コアの第１集塵極片２３と反発極片３１の最初の間隔状況の概略図であるが、このとき、反発極片３１と第２集塵極片２４との間隔はａである。
【００２７】
図７に示すように、本発明の実施例では、集塵極モジュールを一体として浄化コア内から取り出すことができる。このとき、第１集塵極片２３と第２集塵極片２４との間の間隔は２ａである。
【００２８】
図８に示すように、集塵極モジュールは、さらに第１集塵極ユニット２１と第２集塵極ユニット２２に分けることができる。このとき、第１集塵極片２３と第２集塵極片２４との間の間隔は４ａである。そのうち、第１集塵極片２３０、２３１、２３２は第１集塵極ユニットに属し、２４０、２４１、２４２の集塵極片は第２集塵極ユニットに属する。第１集塵極片２３であろうと第２集塵極片２４であろうと、それらの集塵極片の間隔がいずれも４ａであることは明らかであり、図１の間隔ａと較べると、ブラシ１００が集塵極片の間隔に深く入り込みやすいので、集塵極片のクリーニングがさらにしやすい。
【００２９】
反発極モジュール３は一体成型構造で、かつキャビティライナ１と対向して固接されており、反発極モジュール３には対応する集塵極モジュールをその中に挿設する収容室が設けられ、かつ収容室内には集塵極片の総数に対応し、互いに平行な反発極片３１が設けられており、隣り合う２つの反発極片３１の間隔はいずれも２ａであり、反発極モジュール３は、表面抵抗率が１０６Ωを下回る金属または非金属の導電性材料により作成されている。各反発極片３１の両側の外端にはいずれも熱収縮絶縁スリーブ３２が被装されており、熱収縮絶縁スリーブ３２は、尖端放電や、大型の粒子が集塵電界内部に進入することを防止するために設置されている。
【００３０】
浄化コアを組み立てた状態で、集塵極モジュール２、反発極モジュール３及びキャビティライナ１は、互いに嵌装されて全体を構成しており、かつ第一集塵極片２３と反発極片３１が間隔ａで順に互い違いに設けられており、間隔ａは空気清浄器のグリッド間隔の定数である。浄化コアの重さは既存技術に較べると非常に軽いので、ユーザによる修理やメンテナンスがしやすいだけでなく、ユーザ体験も大幅に向上している。
【００３１】
第１集塵極ユニット２１の両側壁上にはいずれもハンドル４が設けられており、キャビティライナ１の両側壁上には、いずれもハンドル４と整合して係止されるハンドル留め５が設けられている。集塵極モジュール２を取り外す場合、ユーザはハンドル４とハンドル留め５によって、第１集塵極ユニット２１及び第２集塵極ユニット２２を一体としてスムーズに取り外すことができる。ハンドルは、自身のプラスチック回転軸によって第１集塵極ユニット２１上に取り付けられている。
【００３２】
集塵極モジュール２が取り外されていないときは、ハンドル４はハンドル留め５上にしっかりと掛止されており、第１集塵極ユニット２１及び第２集塵極ユニット２２を取り外す場合は、両辺からハンドル４を上に引き上げれば、集塵極片板を取り外す効果を実現できる。つまり、ハンドル４の掛止端を第１集塵極ユニット２１のリム上に押し付けることで、第１集塵極ユニット２１及び第２集塵極ユニット２２を一体としてスムーズに取り外すことができるのである。
【００３３】
多くの集塵極片が第１集塵極ユニット２１及び第２集塵極ユニット２２上に集積されており、集塵極モジュール２から分離された集塵極片板は、さらに第１集塵極ユニット２１及び第２集塵極ユニット２２に分解することができるが、それはフック構造によって実現可能となる。前記第２集塵極ユニット２２の側壁上には少なくとも１０個のガイドリムが設置されており、前記ガイドリムの設置により、第１集塵極ユニット２１と第２集塵極ユニット２２が組み立てやすくなっている。
【００３４】
本技術的解決手段では、集塵極モジュール２は、非結晶性、疎水性で、表面抵抗率が１０６Ωを下回る導電性プラスチックにより作成されており、集塵極モジュール２中の集塵極片は、いずれもそれぞれが属する第１集塵極ユニット２１または第２集塵極ユニット２２と一体に射出成型されている。集塵極モジュール２は金属製であっても良く、集塵極モジュール２は、好適には表面抵抗率が１０６Ωを下回る金属材料により作成されており、非結晶性プラスチックの採用により射出成形後の変形度を減少させることができる。該結晶性プラスチックは装飾が容易で、脱落しにくく、その表面は他の分子、例えばインクや塗料などを吸収することができる。また、ユーザの使用上の安全性を十分に考慮して、前記集塵極モジュールの材質はすべて耐火材なので、ユーザは、該製品を使用する過程で、安心して安全に使用することができる。
【００３５】
金属極片については、その結晶構造中の原子核は緊密に配列されているが、その外層の電子は、通常、遊離状態にあり、定方向に流動しやすいので、容易に導電する。本発明の実施例の技術的解決手段で採用しているのは導電性プラスチックであり、普通の良質なプラスチックにカーボンファイバを添加しており、伝導率は１０３に達している。実際、カーボンファイバはグラファイトの六面体構造セルを有しており、グラファイト層構造の両側には類似する金属の電子ガスの存在があるので、電位差の作用によって運動する。電子流が生じることで大量の電荷キャリアがあるため、導電できるのは当然である。高圧条件下では、金属極片と導電性プラスチック極片の導電性能の違いはわずかしかない。実験により、プラスチック集塵極片を採用しても、金属極片と較べて、集塵極モジュール全体の集塵効率は影響を受けないことが証明されている。
【００３６】
キャビティライナ１及び反発極モジュール３の色と集塵極モジュール２の色は互いに異なっており、具体的には、この設定は、ユーザが洗浄時に着脱可能な浄化コアを正しく洗浄するためのものである。本技術的解決手段では、前記キャビティライナと反発極モジュールの色は、好適には緑色であり、集塵極モジュールの色は、好適には黒である。このようにすると、ユーザは、洗浄の過程で、色によって該組のどの部分を洗浄するかを直感的に正しく区分することができる。色がすべて同色に設計されていると、ユーザが、洗浄の過程で区分しにくく、使い勝手が悪くなる。もちろん、技術的解決手段では、キャビティライナ、反発極モジュール及び集塵極モジュールの色については具体的に限定していない。
【００３７】
本発明の実施例では、第１集塵極ユニット２１及び第２集塵極ユニット２２は、図５に示すように、集塵極モジュール２から分離することができる。よって、集塵極片を洗浄する際には、２枚の集塵極片板を取り出して洗浄するだけで良く、従来の集塵極モジュール（図３）のように、全体を洗浄することにより構造内に水が残留するという欠陥が存在しない。それと同時に、採用している導電性プラスチック材質は疎水性があり、集塵極片の表面にはほとんど水滴が付着しないので、集塵極片の乾燥速度がさらに速まり、実験によると、３０分前後で乾燥させることができる。
【００３８】
従来の金属極片（最も軽いアルミニウム材質を例とする）、従来のプラスチック極片との性能比較分析は以下の通りである。
【００３９】
【表１】
0006936388.tif 000002
【００４０】
本発明の実施例の優位性は、以下のように具現化されている。多くの集塵極片を２枚の着脱可能な集塵極片板上に集積することで、組立時間が従来の金属極片と較べて大幅に減少する。集塵極片を洗浄する際には、２枚の集塵極片板を取り出して洗浄するだけで良いので、水が構造内に残留することがなく、集塵極片板を早く乾かすことができる。また、極の間隔を変えずに（集塵効率を変えずに）組み立てることを基礎として、取り外した後の集塵極片の間隔を最初の４倍にすることができるので、集塵極片の洗浄がより簡単になる。また、導電性プラスチック材質は密度が小さいので、ユーザが集塵極片を洗浄する際の体感も快適である。
【００４１】
本発明にはまだ多くの実施方式があるが、同等の変換や同じ効果の変換を用いて形成されているすべての技術的解決手段は、いずれも本発明で保護を請求する範囲に含まれる。
【産業上の利用可能性】
【００４２】
本発明の長所は主に、本実施例の実施例は設計が精巧で、構造が簡単であり、このような分離式浄化コアの構造を設計することにより、浄化コアから単独で分離した集塵極モジュールをさらに分離させることで、最終分離後の集塵極片の間隔が従来の４倍になり、集塵極片板の洗浄の難しさを解決し、除塵効率を保証しているという点に現れている。ユーザは、集塵極片を洗浄する際、第１集塵極ユニット２１及び第２集塵極ユニット２２を取り出して洗浄するだけで良く、従来の集塵極モジュールは全体の洗浄が必要であったことに較べて、本発明の実施例は集塵極片の乾く速度が非常に速い。それと同時に、採用している導電性プラスチック材質は疎水性があり、集塵極片の表面にはほとんど水滴が付着しないので、集塵極片の乾燥速度をさらに速めている。導電性プラスチックを金属材料の代わりに集塵極片の材質とすることで、ユーザが集塵極片板を洗浄することが明らかに容易になり、多くの集塵極片を２つの集塵極ユニット上に集積するという機能を実現しており、極板を１枚１枚嵌め込む従来の方式と較べて、本発明の実施例の設計構造は、集塵極モジュールの組立時間を大幅に削減することで、コストを引き下げることができる。
【符号の説明】
【００４３】
１      キャビティライナ
２      集塵極モジュール
２１    第１集塵極ユニット
２２    第２集塵極ユニット
２３、２３０、２３１、２３２    第１集塵極片
２４、２４０、２４１、２４２    第２集塵極片
２５    補強リム
３      反発極モジュール
３１    反発極片
３２    熱収縮絶縁スリーブ
４      ハンドル
５      ハンドル留め
ａ      間隔
【図１】
0006936388.tif 000003
【図２】
0006936388.tif 000004
【図３】
0006936388.tif 000005
【図４】
0006936388.tif 000006
【図５】
0006936388.tif 000007
【図６】
0006936388.tif 000008
【図７】
0006936388.tif 000009
【図８】
0006936388.tif 000010
【図９】
0006936388.tif 000011